(57)【要約】      （修正有）【課題】取り付け対象物に対して安定に保持させることができる形象玩具を提供する。【解決手段】形象玩具１は、頭部２と、頭部の両側に位置する少なくとも二つの腕４と、を有する。二つの腕は芯材４１を備える。芯材は、金属板を有する。金属板は、二つの腕に跨って長尺に形成され、長手方向に丸まった形状を基準とし、かつ丸まった形状から長手方向の両端が開く形状まで弾性変形可能に構成されている。【選択図】図１
0003229613.tif 000002
【実用新案登録請求の範囲】
【請求項１】
頭部と、前記頭部の両側に位置する少なくとも二つの腕と、を有する形象玩具であって
、
前記二つの腕は芯材を備え、
前記芯材は、
前記二つの腕に跨って長尺に形成され、長手方向に丸まった形状を基準としかつ前記
丸まった形状から前記長手方向の両端が開く形状まで弾性変形可能に構成された金属板を
有する、
形象玩具。
【考案の詳細な説明】
【技術分野】
【０００１】
本考案は、形象玩具に関し、より詳細には、姿を有する玩具に関する。
【背景技術】
【０００２】
特許文献１には、従来のぬいぐるみが記載されている。特許文献１に記載のぬいぐるみ
は、頭部と、頭部の両側に位置する二つの腕部と、下端部に設けられた二つの足部と、を
備えている。二つの腕部の内部には、芯材として綿材が充填されている。足部には、他の
部分よりも単位体積当たりの重量が重い充填物が充填されており、安定して自立すること
ができる。
【先行技術文献】
【特許文献】
【０００３】
【特許文献１】実登３２１９３９５号公報
【考案の概要】
【考案が解決しようとする課題】
【０００４】
しかしながら、特許文献１に記載のぬいぐるみでは、安定して自立することができるも
のの、例えば、ベビーカー等の動く物に対して載せた場合には、落下する可能性がある。
【０００５】
本考案は、上記事情に鑑みてなされ、対象物に対して保持させることができる形象玩具
を提供することを目的とする。
【課題を解決するための手段】
【０００６】
本考案に係る一態様の形象玩具は、頭部と、前記頭部の両側に位置する少なくとも二つ
の腕と、を有する形象玩具である。前記二つの腕は芯材を備える。前記芯材は、前記二つ
の腕に跨って長尺に形成され、長手方向に丸まった形状を基準としかつ前記丸まった形状
から前記長手方向の両端が開く形状まで弾性変形可能に構成された金属板を有する。
【考案の効果】
【０００７】
本考案に係る上記態様の形象玩具は、対象物に対して保持させることができる、という
利点がある。
【図面の簡単な説明】
【０００８】
【図１】図１は、本考案の一実施形態に係る形象玩具の斜視図である。
【図２】図２（Ａ）は、同上の腕の芯材が、長手方向に丸まった形状である状態の斜視図である。図２（Ｂ）は、同上の芯材が開いた状態の斜視図である。図２（Ｃ）は、芯材が直線形状に開いた状態の斜視図である。
【図３】図３は、同上の形象玩具が腕を広げた状態の斜視図である。
【図４】図４は、形象玩具としてのタッセルの斜視図である。
【考案を実施するための形態】
【０００９】
（１）実施形態
【００１０】
以下、本実施形態に係る形象玩具１について、詳細に説明する。
【００１１】
形象玩具１は、図１に示すように、二つの腕４を持つ姿を有する玩具である。形象玩具
１としては、例えば、動物を模したぬいぐるみ（以下、「動物のぬいぐるみ」などと言う
）、アニメのキャラクターのぬいぐるみ、人のぬいぐるみ、人形、擬人化した鳥・魚・食
べ物・植物等のぬいぐるみ等が挙げられる。動物のぬいぐるみとしては、例えば、うさぎ
、かわうそ、ナマケモノ、クマ、猫、犬、ライオン、トラ、シロクマ等のぬいぐるみが挙
げられる。本実施形態に係る形象玩具１は、うさぎのぬいぐるみ１０である。
【００１２】
ぬいぐるみ１０は、肌触りのよい生地で形作られており、内部に綿等の賦形材が収容さ
れている。生地は、例えば、ソフトボア生地、ポリエステルボア生地、タオル生地、プー
ドルファー生地、オーガンジー生地、フェイクファー生地、ソフトファー生地等で形成さ
れる。ぬいぐるみ１０は、図１に示すように、頭部２と、体３と、二つの腕４と、二つの
脚５と、しっぽ６と、を備える。
【００１３】
頭部２は、体３の上端に設けられており、一対の目２１、鼻２２及び口２３を備える。
頭部２の向く方向は、体３の正面に対して、平面視で傾いている。この頭部２の向く方向
の体３の正面に対する傾きは、例えば、平面視で２５°以上９０°以下であることが好ま
しく、より好ましくは、３０°以上４５°以下である。頭部２は、縫合によって体３に接
合されており、頭部２の向く方向を、体３に対して、上下方向に傾倒可能に構成されてい
る。
【００１４】
体３は、頭部２、腕４、脚５及びしっぽ６が接合された部分である。体３の大きさには
特に制限はないが、正面視で頭部２よりも小さいことが好ましい。
【００１５】
二つの腕４は、頭部２の両側に配置され、体３に対して接合されている。各腕４の先端
には、複数の指が形成されていることが好ましい。また、腕４の先端には、ぬいぐるみ１
０の属性に応じて、指のほか、爪、グローブ、手袋等を形成してもよい。
【００１６】
二つの腕４は芯材４１を備えている。芯材４１は、二つの腕４に跨って長尺に形成され
ている。芯材４１は、図２（Ａ）に示すように、長手方向に丸まった形状を基準としてお
り、丸まった形状から長手方向の両端が開く形状（図２（Ｂ）（Ｃ））まで弾性変形可能
に構成されている。言い換えると、芯材４１は、自然状態では、長手方向が円状に巻き回
された形状をなし、この状態から、芯材４１は、長手方向の端部を、平面視で接線に直交
する方向に移動させることで、弾性的に変形し、両端が開いた形状をなす。芯材４１は、
長手方向の両端が開いた状態となると、円状に巻き回された形状に復元しようとする弾性
エネルギーが生じる。ここでいう「自然状態」とは、芯材４１に対して外力を加えていな
い状態を意味する。
【００１７】
したがって、自然状態にある二つの腕４は、図１に示すように、腕４を体３の前で合わ
せた状態となる。また、腕４を開くと、腕４には巻き回された形状に戻ろうとする力が働
くため、例えば、両腕４に対して対象物（例えば、柱、フレーム、手首等）を抱えさせる
と、ぬいぐるみ１０は、力を込めて抱きつくようになる。したがって、ぬいぐるみ１０は
、二つの腕４によって、例えば、バッグの取手、ベビーカーのハンドルに保持させること
ができる。
【００１８】
また、二つの腕４の各々の長さは、図３に示すように、二つの脚５の各々の長さよりも
長く形成されている。このため、ぬいぐるみ１０は、物を抱えさせた際に、しっかりと抱
きつかせることができる。
【００１９】
芯材４１は、円状に巻き回された形状（図２（Ａ））から、図２（Ｃ）に示すように、
直線形状となるまで変形させることができる。直線形状になると、芯材４１は、幅方向に
反り、これにより直線形状に保たれる。したがって、ぬいぐるみ１０は、図３に示すよう
に、二つの腕４を左右方向に真っ直ぐ開いた状態に保つことができる。腕４を開いた状態
から、芯材４１の幅方向の中央を押し込むと、再び芯材４１は復元しようとするため、ぬ
いぐるみ１０の腕４は、体３の前で合わせた状態に変形する。
【００２０】
芯材４１は、特に制限はないが、スチール、鋼板、ステンレス鋼板、銅板等で構成され
る。また、芯材４１は、図２（Ｃ）に示すように、金属板４２を覆う防水層４３を備える
。防水層４３は、本実施形態では、透明フィルムであるが、これに限らず、金属板４２を
収容するＰＶＣ等の樹脂袋であってもよいし、樹脂コーティング、ラミネート加工、樹脂
ポッティング、ライニング加工等で構成されてもよい。これによって、例えば、乳幼児が
ぬいぐるみ１０で遊ぶ際に、よだれや飲み物で腕４を濡らしても、芯材４１が腐食するこ
とを防ぐことができる。なお、図２（Ａ）、図２（Ｂ）では、防水層４３を省略している
。
【００２１】
脚５は、図３に示すように、体３の下端に接合されている。脚５は、腕４よりも短く形
成されている。脚５は、形象玩具１の属性に応じて、先端部に靴を形成したり、爪を形成
したりしてもよい。
【００２２】
このように、本実施形態に係る形象玩具１は、腕４の芯材４１として、二つの腕４に跨
って長尺に形成され、長手方向に丸まった形状を基準とし、弾性変形可能に構成された金
属板４２を有するため、対象物に対して抱きつくようにして、保持させることができる。
しかも、例えば、ユーザの手首等に抱きつかせることで、ユーザは、あたかも力を込めて
抱きついているような（まるでハグをされているような）感覚を得ることができる。
【００２３】
また、本実施形態に係る形象玩具１では、芯材４１は、直線形状に変形させると、幅方
向に反り、これにより直線形状に保たれるため、物に対して抱きつかせやすい。また、芯
材４１が沿った状態から、幅方向の中央を、例えば手首等で押し込むことで、二つの腕４
で手首を抱きついた状態に切り替えることができる。
【００２４】
（２）変形例
上記実施形態は、本開示の様々な実施形態の一つに過ぎない。実施形態は、本開示の目
的を達成できれば、設計等に応じて種々の変更が可能である。以下、実施形態の変形例を
列挙する。以下に説明する変形例は、適宜組み合わせて適用可能である。
【００２５】
上記実施形態では、形象玩具１として、ぬいぐるみ１０であったが、例えば、本考案に
係る形象玩具１は、図４に示すように、二つの腕４でカーテン７を束ねるタッセル１１で
あってもよい。上記実施形態に係るぬいぐるみをタッセル１１として用いれば、インテリ
アとして用いることができるタッセル１１とすることができる。
【００２６】
上記実施形態では、生地の内部に賦形材としての綿が収容されたが、本考案では、賦形
材は、布切れ、ビーズ、小豆、細切れストロー、麦等であってもよい。また、賦形材はな
くてもよい。
【００２７】
上記実施形態では、体３に対し、頭部２、腕４、脚５及びしっぽ６が接合されたが、こ
れらは一体に形成されてもよい。
【００２８】
上記実施形態では、芯材４１は、金属板４２と防水層４３とを備えたが、本考案では、
芯材４１は金属板４２のみで構成されてもよい。
【符号の説明】
【００２９】
１        形象玩具
１０      ぬいぐるみ
１１      タッセル
２        頭部
４        腕
４１      芯材
４２      金属板
４３      防水層
５        脚
７        カーテン
【図１】
0003229613.tif 000003
【図２】
0003229613.tif 000004
【図３】
0003229613.tif 000005
【図４】
0003229613.tif 000006